(57)【要約】【課題】少ないスペースにおいても最適な状況で譜面を表示し、効率的な演奏をすることが可能な電子楽譜の表示システム、音楽教育支援システムを得ること。【解決手段】制御するプログラムを記憶するプログラム記憶手段１２と、演奏する曲の電子楽譜情報を記憶する楽譜情報記憶手段１３と、複数の表示手段を備えた電子楽譜表示装置２０と、前記楽譜情報記憶手段に記憶された電子楽譜情報を前記表示手段に表示する制御を行う表示制御手段１６と、前記表示手段により表示される楽譜の操作を入力する入力手段２３と、前記表示制御手段により制御されて前記表示手段に表示される電子楽譜情報の表示を前記入力手段により入力された操作に基づき制御する制御手段１１とを有し、前記表示手段は、少なくとも電子楽譜情報を表示可能な第１の表示手段２１と、この第１の表示手段により表示される画像を見ることが可能でかつ前記第１の表示手段の前に設置され、少なくとも電子楽譜情報を表示可能な第２の表示手段２２とから成ることを特徴とする。【選択図】　図２
2004145221.tif 000002
【特許請求の範囲】
【請求項１】
制御プログラムを記憶するプログラム記憶手段と、
演奏する曲の電子楽譜情報を記憶する楽譜情報記憶手段と、
複数の表示手段を備えた電子楽譜表示装置と、
前記楽譜情報記憶手段に記憶された電子楽譜情報を前記表示手段に表示する制御を行う表示制御手段と、
前記表示手段により表示される楽譜の操作を入力する入力手段と、
前記表示制御手段により制御されて前記表示手段に表示される電子楽譜情報の表示を前記入力手段により入力された操作に基づき制御する制御手段とを有し、
前記表示手段は、少なくとも電子楽譜情報を表示可能な第１の表示手段と、この第１の表示手段により表示される画像を見ることが可能でかつ前記第１の表示手段の前に設置され、少なくとも電子楽譜情報を表示可能な第２の表示手段とから成ることを特徴とする電子楽譜表示システム。
【請求項２】
前記第２の表示手段は、重ねられた複数の表示手段から成ることを特徴とする請求項１記載の電子楽譜表示システム。
【請求項３】
前記第１の表示手段と前記第２の表示手段には、異なる楽譜が表示されることを特徴とする請求項１又は２記載の電子楽譜表示システム。
【請求項４】
前記異なる楽譜は総譜とパート譜であることを特徴とする請求項３記載の電子楽譜表示システム。
【請求項５】
前記第１の表示手段と前記第２の表示手段の一方には、楽譜が表示され、他方には映像が表示されることを特徴とする請求項１又は２記載の電子楽譜表示システム。
【請求項６】
前記第１の表示手段と前記第２の表示手段の一方には、楽譜が表示され、他方には楽器の演奏映像や指揮者の映像が表示されることを特徴とする請求項１又は２記載の音楽教育支援システム。
【発明の詳細な説明】
【０００１】
【発明の属する技術分野】
本発明は、電子楽譜表示システムや音楽教育支援システムに関する。
【０００２】
【従来の技術】
一般に、オーケストラ、吹奏楽や合唱は、中央に指揮者がおり、この指揮者を囲むように数十人の演奏者が配列して曲を演じている。各演奏者は、前方に各演奏者用の楽譜が載置された楽譜スタンドを置いて、演奏している。この楽譜は、演奏する曲の楽譜が紙に印刷された冊子になっている。
【０００３】
通常、演奏しようとする楽譜は、指揮者が使用する全ての楽器の楽譜が記載されている総譜と、演奏する楽器のみが記載されているパート譜を使用して演奏する。パート譜は、担当の楽器の演奏が無い場合は、休止記号と休止する小節数が記載してあり、休止記号のみが記載されたパート譜の楽器を演奏する演奏者は、他の楽器が演奏している小節数をカウントして、演奏の準備を行う必要があった。
【０００４】
また、楽器の演奏の練習に際しては、ピアノの演奏時の指の形、バイオリンの弓の返しなどを充分に学習する必要があるが、生徒が自宅などで自習する際は、先生の模範とする指や手の形などをビデオ等の映像記憶装置に表示して学習することを行っている。しかしながら、楽譜上で演奏する小節の部分と、実際の手の映像とが分離しており、学習効果が低いものであった。
【０００５】
これらの問題を解決する手段としては、特許文献１に記載された方法や、特許文献２に記載された装置が知られている。特許文献１記載の「電子譜面台及び電子譜面の表示方法」は、譜面ディスプレイに表示譜面の更新の制御手段を設け、取り込んだ音データと譜面データを比較し、その差をトレースして譜面めくりを行う方法や、フットスイッチなどを使用して譜面めくりを行う方法を提案している。また、特許文献２記載の「楽譜表示装置」は、譜面ディスプレイ上に情報を入力する情報入力手段を設け、この情報入力手段の操作により譜面めくりを行う装置を提案している。
【０００６】
しかしながら、特許文献１「電子譜面台及び電子譜面の表示方法」では、（１）楽譜には演奏楽器に応じて多数の楽器の演奏内容が記載されているが、全体の構成が判る総譜や他の演奏者のパート譜を容易に表示することが配慮されていない、（２）また、同様に同時に表示を行う楽譜のページ数を出来るだけ多く表示することが望まれ、その対応に複数の表示装置を用いると、演奏するスペースが多くなるため、コンパクトなスペースで電子楽譜を表示する配慮をしていない、（３）楽譜の表示のみを考慮しているため、演奏する際のピアノの指使いなどの学習を配慮されていない、などの問題がある。また、特許文献２の「楽譜表示装置」も上記（１）〜（３）についての配慮がされていない。
【０００７】
【特許文献１】
・特開２０００−２３１３７９号公報
【特許文献２】
・特開平６−４０７１号公報
【０００８】
【発明が解決しようとする課題】
本発明は、上述のような、従来の電子的な楽譜表示装置などの問題点に鑑みてなされたもので、オーケストラで用いるような、多数の演奏楽器に対応した楽譜を表示する電子楽譜装置において、少ないスペースにおいても最適な状況で譜面を表示し、効率的な演奏をすることができる電子楽譜の表示システム、音楽教育支援システムを提供することを目的とする。
【０００９】
【課題を解決するための手段】
上記目的を達成するために、請求項１記載の電子楽譜表示システムは、制御プログラムを記憶するプログラム記憶手段と、演奏する曲の電子楽譜情報を記憶する楽譜情報記憶手段と、複数の表示手段を備えた電子楽譜表示装置と、前記楽譜情報記憶手段に記憶された電子楽譜情報を前記表示手段に表示する制御を行う表示制御手段と、前記表示手段により表示される楽譜の操作を入力する入力手段と、前記表示制御手段により制御されて前記表示手段に表示される電子楽譜情報の表示を前記入力手段により入力された操作に基づき制御する制御手段とを有し、前記表示手段は、少なくとも電子楽譜情報を表示可能な第１の表示手段と、この第１の表示手段により表示される画像を見ることが可能でかつ前記第１の表示手段の前に設置され、少なくとも電子楽譜情報を表示可能な第２の表示手段とから成ることを特徴とする。
【００１０】
この発明によれば、少ないスペースにおいても最適な状況で譜面を表示し、効率的な演奏をすることが可能な電子楽譜の表示システムが得られる。
【００１１】
本発明の請求項２の電子楽譜表示システムは、請求項１記載の電子楽譜表示システムにおいて、前記第２の表示手段は、重ねられた複数の表示手段から成ることを特徴とする。
【００１２】
本発明の請求項３の電子楽譜表示システムは、請求項１又は２記載の電子楽譜表示システムにおいて、前記第１の表示手段と前記第２の表示手段には、異なる楽譜が表示されることを特徴とする。
【００１３】
本発明の請求項４の電子楽譜表示システムは、請求項３記載の電子楽譜表示システムにおいて、前記異なる楽譜は総譜とパート譜であることを特徴とする。
【００１４】
本発明の請求項５の電子楽譜表示システムは、請求項１又は２記載の電子楽譜表示システムにおいて、前記第１の表示手段と前記第２の表示手段の一方には、楽譜が表示され、他方には映像が表示されることを特徴とする。
【００１５】
本発明の請求項６の音楽教育支援システムは、請求項１又は２記載の電子楽譜表示システムにおいて、前記第１の表示手段と前記第２の表示手段の一方には、楽譜が表示され、他方には楽器の演奏映像や指揮者の映像が表示されることを特徴とする。
【００１６】
【発明の実施の形態】
以下、本発明よる電子楽譜表示システムの実施形態について、図面を参照して説明する。
【００１７】
図１は、オーケストラによる演奏を行っている状態を示す図である。指揮者１と数十人の演奏者１ｂ〜１ｎにより曲を演奏する。指揮者１及び演奏者１ｂ〜１ｎは、前方に楽譜スタンド２を置いて、この楽譜スタンド２に表示した電子楽譜を見て演奏する、電子楽譜表示システムが置かれている。電子楽譜は、各楽譜スタンド２に組み込まれている電子楽譜表示装置に設けられた複数の表示手段、例えば液晶表示装置に表示される。また、楽譜スタンド２には液晶表示装置に表示した電子楽譜のページ送りを操作するフットペダル４が設けられている。
【００１８】
次に、図１の電子楽譜表示システム１０の構成について、図１及び図２を参照して説明する。図２に本発明を適用した一実施形態の電子楽譜表示システム１０の構成を示す。
【００１９】
この電子楽譜表示システム１０は、表示手段として液晶表示装置２０を有する。この液晶表示装置２０は第１の表示手段２１と第２の表示手段２２を有している。第１の表示手段２１は、通常用いられる液晶表示装置である。この第１の表示手段２１の液晶表示装置の前面に、第２の表示手段２２として、透過式の液晶表示装置が設置される。これにより、第１の表示手段２１に表示された画像と、第２の表示手段２２に表示された画像は、重ねられ、同一画像のように利用者に対して示される。
【００２０】
さらに、液晶表示装置２０の、第２の表示手段の上には入力手段２３として、利用者が操作を画面上のシンボルにタッチすることで行うことが可能となるタッチパネルを設置し、これらを一体形式の構成とされている。利用者はタッチパネルを操作することにより、制御手段１１に対して演奏開始や終了などの制御情報を入力することが可能となる。
【００２１】
楽譜情報は楽譜情報記憶手段１３に保存されており、全ての演奏楽譜である総譜や、各楽器のみの楽譜であるパート譜が保存されている。この実施形態では、楽譜情報はＭＩＤＩ規格に準拠したデータフォーマットで保存されることにより、楽譜形態での表示も容易に行えるが、紙に書かれた譜面をスキャナ等で読み取って電子化し、頁の情報を付加して保存するようにしてもよい。
【００２２】
共通バス（母線）１５には、制御手段１１、プログラム記憶手段１２、楽譜情報記憶手段１３、抽出手段１４、表示制御手段１６及び映像情報記憶手段１７が接続される。
【００２３】
映像情報記憶手段１７には映像情報として、ピアノ演奏時の手の指使いや、バイオリンの弓の返しなどの楽器を演奏している映像、指揮者が演奏の指揮を行っている映像、曲にちなんだ風景映像等が保存されている。これらの映像情報は、演奏曲や演奏パート、曲の演奏時間情報と関連付けられて保存されており、演奏曲や演奏パートに応じて抽出される。
【００２４】
フットペダル４は、楽譜のページ更新を利用者が手を使わずに行うことができるものであり、入力手段の１つである。このフットペダル４を踏むことにより、ページ更新情報が制御手段１１に入力される。
【００２５】
制御手段１１は、フットペダル４からのページ更新操作信号を受け、楽譜情報の抽出を抽出手段１４に指令信号を発信する。抽出手段１４は、制御手段１１からの信号を受け、該当する楽譜情報を楽譜情報記憶手段１３または映像情報記憶手段１７から抽出する。抽出された楽譜情報又は映像情報は表示制御手段１６に伝達される。
【００２６】
表示制御手段１６は、抽出手段により抽出された楽譜情報や映像情報を、第１の表示手段２１、第２の表示手段２２の各表示部に区分けして表示を行うものである。このため、表示手段の座標情報に合わせて画像情報を制御する。プログラム記憶手段１２には上記に記載する各動作を制御手段１１に実行させるためのプログラムが保存されており、これにより制御手段を動作させる。
【００２７】
図３は、図２に示した電子楽譜表示装置２０に表示された画面の拡大図である。第１の表示手段２１はベースとなる液晶表示装置（下画面表示装置）であり、オーケストラ全ての楽器の楽譜である総譜が表示されている。また、第２の表示手段２２である透過式液晶表示装置（上画面表示装置）には利用者の使用する楽器のみが記載されたパート譜が表示されている例である。
【００２８】
図３では、第１の表示手段２１と第２の表示手段２２が並べて示されてあるが、実際には図２に示しているように重ねられて表示装置を形成している。さらに、上画面表示装置には、利用者が電子楽譜表示装置の操作をキーボードやマウスによらず、手で入力を行うことが可能なように、操作ボタン３０が表示されている。
【００２９】
利用者は下画面表示装置の画面上にオーケストラで使用する全ての楽器の楽譜である総譜を表示し、その前面に透過させて自楽器であるホルンのパート譜を表示させる。これにより、ホルンが演奏開始から長時間休止がある場合においても、休止小節をカウントせず、総譜を参照することで、自分の担当楽器の演奏タイミングを容易に認識することが可能となる。
【００３０】
次に、電子楽譜表示システムの使用モードについて、図１〜図４を基に説明する。図５は操作フローを示したフローチャートである。
【００３１】
スタート（Ｆ−１）により、メニューバー３０が表示される。（Ｆ−２）メニューバー３０の「開始」操作（Ｆ−３）により、楽譜表示ソフトが起動する（Ｆ−４）。これにより、電子楽譜情報を利用者が確認可能となる。次に、メニューバー３０の「画面表示制御」を操作し、上画面表示装置、下画面表示装置の使用／不使用を選定する（Ｆ−５）。
【００３２】
次に、各画面に表示する情報の呼出し選択を行い（Ｆ−６）、総譜、パート譜、映像情報など、表示させたい情報を選択する。利用者は、表示手段２０に表示された楽譜情報４０や映像情報５０に基づいて演奏を行う（Ｆ−７）。
【００３３】
演奏が終了すると、メニューバー３０の「終了」ボタンを操作する（Ｆ−８）。これにより、電子楽譜表示ソフトが停止すると共に、呼び出した楽譜情報４０や、映像情報５０が消去される（Ｆ−９）。その後メニューバー３０も表示消去され（Ｆ−１１）、終了する（Ｆ−１２）。また、メニューバー３０は表示された段階（Ｆ−２）においても「終了」操作により表示消去（Ｆ−１１）され、終了することが可能である（Ｆ−１２）。
【００３４】
次に、メニューバーの制御機能について、図１〜図６により説明する。図５はメニューバー３０の表示名称を示したものである。また、図６は、各制御機能の構成を階層的に示したものである。
【００３５】
図５において、メニューバー３０の「開始」（Ｇ−１）操作を行うと、電子楽譜の表示機能が起動する。この表示機能により、保存された電子情報を、五線譜や音符、音楽記号などの楽譜形状に変換するもので、一般に普及しているソフトウェアにて容易に実現可能である。
【００３６】
「上画面」、「下画面」、「上下画面」、「上下切替」（Ｇ−２）は、表示手段の画面表示制御（Ｈ−２）を行うもので、上画面表示装置と下画面表示装置などをどのように使用するのか、また、使用しないかを選定する。これにより、上または下画面の表示装置のみを使用するのか、また上下両方の画面表示装置を使用するのかを選定できる。さらに、一度設定した画面の状況を、「上／下切替」ボタンを操作することで、従来上画面表示装置に表示されていた内容を、下画面表示装置に表示するなどの切替えが容易に行える。
【００３７】
「総譜選択」、「パート譜選択１」、「パート譜選択２」、「映像」（Ｇ−３）は、選択した表示画面に、どういう内容の情報を表示するかを、ファイルの呼出し制御（Ｈ−３）を行うものである。これにより、上画面にはパート譜、下画面には総譜などの選定が可能となる。
【００３８】
「←（改ページ送り）」、「→（改ページ戻し）」（Ｇ−４）は、表示された楽譜情報の頁を更新するものである（Ｈ−３）。利用者が演奏する場合、通常はフットペダル４により制御を行うが、入力手段２３のタッチパネルからの操作も可能とすることで、リハーサルなどにおいての利便性が飛躍的に向上する。
【００３９】
図７は、第１の表示手段２１、第２の表示手段２２に表示される楽譜情報４０および映像情報５０の表示例を示したブロック図である。
【００４０】
図７（ａ）は総譜を第１の表示手段２１により、パート譜を第２の表示手段２２により表示した例である。利用者の楽器が長期間の休止状態にある場合など、総譜の情報を確認することにより、休止小節数を自らカウントすること無く、演奏準備を事前に行うことが容易になる。図７（ｂ）は、現在演奏しているパート譜を第２の表示手段２２により、次に演奏するパート譜を第１の表示手段２１により表示する場合である。これにより、次に演奏する部分の特徴などを予め確認することが可能となり、より演奏が効果的に行える。
【００４１】
尚、本表示を行う場合には、パート譜の頁送りを上下共に同時に実施する制御をプログラムに組み込むことで、２つの画面の頁送りが容易に可能となる。
【００４２】
図７（ｃ）、（ｄ）は、利用者のパート譜と他の楽器のパート譜を第１の表示手段２１あるいは第２の表示手段２２の一方及び他方により表示したものである。これにより、ソロ演奏を他の楽器で行っている場合に、他の楽器のパート譜を表示することで、演奏状況の確認が容易に行える。
【００４３】
図７（ｅ）、（ｆ）は映像５０を総譜やパート譜と共に表示している場合である。映像情報としては、演奏曲にちなんだ風景や、ＣＭなどに合わせて演奏する場合のビデオ映像などを表示することで、演奏がより情緒的になる。
【００４４】
また、ピアノ演奏時の指使いや、バイオリンの弓の返しなど、演奏に必要な技術的な要素を盛込んだ映像とすることで、楽譜と連係した映像が表示される。これにより、自宅での練習時に繰り返し映像を見ながら演奏を行うことが可能となり、音楽教育にも有効に利用可能である。図８は、図７（ｅ）、（ｆ）で説明した映像情報を、上画面表示装置に表示した例である。なお、本発明では、表示される画像には、動画などの映像も含まれる意味で用いている。
【００４５】
また、上述の説明では、第１の表示手段の前に設置される第２の表示手段は、１つであったが、複数の表示手段を重ねて設けることもできる。このような構成をとると、第１の表示手段の前に設けられた複数の第２の表示手段により表示される画像が、重畳されて、利用者に見えることになる。
【００４６】
以上述べたように本発明の上記実施形態によれば、楽譜の総譜とパート譜、自分と他人のパート譜、総譜やパート譜と映像を第１、第２の表示手段により重ねて表示することが可能となる。
【００４７】
【発明の効果】
以上説明したように本発明によれば、オーケストラで用いるような、多数の演奏楽器に対応した楽譜を表示する電子楽譜装置において、複数の種類の楽譜や映像を同一の表示装置に重ねて表示することにより、少ないスペースにおいても最適な状況で譜面を表示し、効率的な演奏をすることが可能な電子楽譜の表示システム、音楽教育支援システムを得ることができる。
【図面の簡単な説明】
【図１】本発明一実施形態の電子楽譜表示システムを利用してオーケストラ配置した状態を示す図である。
【図２】本発明一実施形態の電子楽譜表示システムの機能ブロックを示す図である。
【図３】本発明一実施形態における電子譜面表示装置に表示される楽譜の例を示す図である。
【図４】本発明一実施形態の電子楽譜表示システムの操作フローを示す図である。
【図５】本発明一実施形態におけるメニューバーの一例を説明するための図である。
【図６】図５に示したメニューバーの機能を説明するための図である。
【図７】本発明一実施形態において第１の表示手段と第２の表示手段により表示される楽譜などの表示例を説明するために図である。
【図８】本発明一実施形態において図７の画面内の表示位置の調整機能の内、移動方向の制御方法を説明するための図である。
【符号の説明】
１…指揮者　、１ｂ，１ｃ，１ｎ…演奏者　、２…楽譜スタンド、４，２３…入力手段、１０…電子楽譜表示システム、１１…制御手段、１２…プログラム記憶手段、１３…楽譜情報記憶手段、１４…抽出手段、１５…母線、１６…表示制御手段、１７…映像情報記憶手段、２０…電子楽譜表示装置、２１…第１の表示手段、２２…第２の表示手段、３０…メニューバー、４０…総譜、４１…パート譜、５０…映像。
【図１】
2004145221.tif 000003
【図２】
2004145221.tif 000004
【図３】
2004145221.tif 000005
【図４】
2004145221.tif 000006
【図５】
2004145221.tif 000007
【図６】
2004145221.tif 000008
【図７】
2004145221.tif 000009
【図８】
2004145221.tif 000010